(57)【要約】【目的】新たな美観・新たな価値を有する組立式ガゼボを提供する。【構成】人間が入ることのできるドーム状の内部空間を有し、支柱につる植物を絡ませて用いる組立式ガゼボ１００であって、半アーチ形状を有し、組立式ガゼボ１００の支柱となる７本の支柱部材１１０と、組立式ガゼボ１００の天井部分で７本の支柱部材１１０を結合して組立式ガゼボ１００の骨格を形成するためのジョイント１２０と、アーチ形状を有し、組立式ガゼボ１００の入り口となる入り口部材１３０とを備えることを特徴とする組立式ガゼボ。【選択図】図１
0003139229.tif 000002
【実用新案登録請求の範囲】
【請求項１】
人間が入ることのできるドーム状の内部空間を有し、支柱につる植物を絡ませて用いる組立式ガゼボであって、
半アーチ形状を有し、前記組立式ガゼボの支柱となる複数の支柱部材と、
前記組立式ガゼボの天井部分で前記複数の支柱部材を結合して前記組立式ガゼボの骨格を形成するためのジョイントと、
アーチ形状を有し、前記組立式ガゼボの入り口となる少なくとも１つの入り口部材とを備えることを特徴とする組立式ガゼボ。
【請求項２】
請求項１に記載の組立式ガゼボにおいて、
前記組立式ガゼボの裾部分を囲むように設置されるメッシュフェンスをさらに備えることを特徴とする組立式ガゼボ。
【請求項３】
請求項１又は２に記載の組立式ガゼボにおいて、
前記入り口部材を前記ジョイントに結合するための連結部材及び第２ジョイントとをさらに備えることを特徴とする組立式ガゼボ。
【請求項４】
請求項１〜３のいずれかに記載の組立式ガゼボにおいて、
前記入り口部材の数は、１つであり、
前記複数の支柱部材は、７本存在することを特徴とする組立式ガゼボ。
【請求項５】
請求項１〜３のいずれかに記載の組立式ガゼボにおいて、
前記入り口部材の数は、２つであり、
前記複数の支柱部材は、６本存在することを特徴とする組立式ガゼボ。
【請求項６】
請求項１〜５のいずれかに記載の組立式ガゼボにおいて、
前記組立式ガゼボの高さは、２．３ｍ〜３．３ｍであり、
前記組立式ガゼボの直径は、１．５ｍ〜３．５ｍであることを特徴とする組立式ガゼボ。
【請求項７】
請求項１〜６のいずれかに記載の組立式ガゼボにおいて、
隣り合う各支柱部材の間隔は、０．７ｍ〜１．２ｍであることを特徴とする組立式ガゼボ。
【請求項８】
請求項１〜７のいずれかに記載の組立式ガゼボにおいて、
前記組立式ガゼボの入り口の高さは、１．８ｍ〜２．４ｍであり、
前記組立式ガゼボの入り口の幅は、０．８ｍ〜１．４ｍであることを特徴とする組立式ガゼボ。
【請求項９】
請求項１〜８のいずれかに記載の組立式ガゼボにおいて、
前記メッシュフェンスの高さは、０．５ｍ〜１．５ｍであることを特徴とする組立式ガゼボ。
【請求項１０】
請求項１に記載の組立式ガゼボを構成するために用いるガゼボ組立キットであって、
半アーチ形状を有し、前記組立式ガゼボの支柱となる複数の支柱部材と、
前記組立式ガゼボの天井部分で前記複数の支柱部材を結合して前記組立式ガゼボの骨格を形成するためのジョイントと、
アーチ形状を有し、前記組立式ガゼボの入り口となる少なくとも１つの入り口部材とを備えることを特徴とするガゼボ組立キット。
【請求項１１】
請求項１０に記載のガゼボ組立キットにおいて、
前記組立式ガゼボの裾部分を囲むように設置されるメッシュフェンスをさらに備えることを特徴とするガゼボ組立キット。
【請求項１２】
請求項１０又は１１に記載のガゼボ組立キットにおいて、
前記入り口部材を前記ジョイントに結合するための連結部材及び第２ジョイントとをさらに備えることを特徴とするガゼボ組立キット。
【考案の詳細な説明】
【技術分野】
【０００１】
本考案は、組立式ガゼボ及びガゼボ組立キットに関する。
【背景技術】
【０００２】
ガゼボとは、庭などに休憩所として設けられる柱だけの小屋のことをいい、日本で言うところのあずまやのことをいう。従来、このようなガゼボを簡単に組み立てることができる組立式ガゼボが知られている（例えば、特許文献１参照。）。
【０００３】
図１１は、従来の組立式ガゼボ９００を説明するために示す図である。
従来の組立式ガゼボ９００は、図１１に示すように、十文字状となるように水平に組んだ土台９０２，９０３と、各土台９０２，９０３の両端部分から斜めに立てた４本の支柱９１１〜９１４と、各支柱９１１〜９１４の下端部分と土台９０２，９０３の間に架け渡した筋かい９２１〜９２４（筋かい９２４は図示せず。）と、支柱９１１〜９１４の上に載せた方形の屋根９１０を備える。
【０００４】
このため、従来の組立式ガゼボ９００によれば、予め用意されている規格部材を現場に搬入して組み立てることが可能となるため、短納期、かつ、簡単な作業によりガゼボを建てることができる。
【０００５】
【特許文献１】特開２００２−２１３０９３号公報
【考案の開示】
【考案が解決しようとする課題】
【０００６】
ところで、人間生活においては、新たな美観・新たな価値を有する物品が常に求められており、組立式ガゼボにおいても例外ではない。
【０００７】
そこで、本考案は、そのような事情に鑑みてなされたもので、新たな美観・新たな価値を有する組立式ガゼボを提供することを目的とする。また、そのように優れた組立式ガゼボを構成するために用いるガゼボ組立キットを提供することを目的とする。
【課題を解決するための手段】
【０００８】
（１）本考案の組立式ガゼボは、人間が入ることのできるドーム状の内部空間を有し、支柱につる植物を絡ませて用いる組立式ガゼボであって、半アーチ形状を有し、前記組立式ガゼボの支柱となる複数の支柱部材と、前記組立式ガゼボの天井部分で前記複数の支柱部材を結合して前記組立式ガゼボの骨格を形成するためのジョイントと、アーチ形状を有し、前記組立式ガゼボの入り口となる少なくとも１つの入り口部材とを備えることを特徴とする。
【０００９】
このため、本考案の組立式ガゼボによれば、支柱につる植物を絡ませることにより、組立式ガゼボの外側から見ても組立式ガゼボの内側から見ても従来の組立式ガゼボとは全く異なる美観を与えるものとなる。
【００１０】
また、本考案の組立式ガゼボによれば、支柱につる植物を絡ませた状態の組立式ガゼボの内部にテーブルとイスとを持ち込めば、つる植物の隙間から漏れ出るやわらかな光の下でくつろぐこと（例えば、庭作りの合間に休憩したり、ティータイムを楽しんだりすること。）ができるため、使用者に新たな価値を与えるものとなる。また、組立式ガゼボの内側から、支柱に絡ませたつる植物が成長する様子を楽しめるようになり、このことによっても使用者に新たな価値を与えるものとなる。
【００１１】
その結果、本考案の組立式ガゼボは、従来の組立式ガゼボが有していなかった全く新たな美観・新たな価値を有するものとなる。
【００１２】
なお、本考案の組立式ガゼボにおいては、支柱部材としては、金属パイプ（例えば、亜鉛メッキが施された鉄パイプなど。）、金属パイプに色付け塗装を施したもの、樹脂パイプなどを好ましく用いることができる。入り口部材の場合も同様である。
【００１３】
なお、本考案の組立式ガゼボにおいて、支柱に絡ませるつる植物（基本種）としては、樹形的性質、花の美しさ、種類の多さなどから言って、つるばらが好ましい。なかでも、ある程度枝が太く長いつるばらが好ましく、つるサマースノー、ロサ・ムルティフローラ、ソンブロイユ、トレジャー・トローブ、つるセシル・フルンネ、イングリッシュローズのつる性品種、プロスペリティ、キューランブラー、フィリスバイドなどを例示することができる。この場合、一旦枝を持ち上げて、花の咲く枝を下垂させるようにするとよい。良好な花付きが得られるからである。
【００１４】
また、本考案の組立式ガゼボにおいては、基本種に加えて他のつるばらを用いることも好ましい。この場合、他のつる植物としては、樹形的性質、花の美しさ、種類の多さなどから言って、つるジャック・カルティエ、フリッツ・ノビス、ファンタン・ラトゥール、ブレーリーＮｏ．１、ブレーリーＮｏ．２、ヘンリー・マーティン、ソフィー・ド・バビエール、ブランシュ・フルール、スパニッシュ・ビューティー、ピエール・ド・ロンサール、春がすみ、つるピンク・シフォンなどを例示することができる。
【００１５】
また、本考案の組立式ガゼボにおいては、入り口付近にはさらに他のつるばらを用いることも好ましい。この場合、さらに他のつるばらとしては、ステムが短く、花付きがよく、香り立つような香りを有するつるばらが好ましく、ブラッシュ・ダマスク、カーディナル・ド・リシュリュー、オンブレ・パルフェなどを例示することができる。
【００１６】
なお、実用新案登録３０４８９１５号公報、実用新案登録３０５４０８６号公報、特開２０００−１５７０６５号公報、特開２００２−０６５０７４号公報又は実用新案登録３０９６２５１号公報には、つる植物を絡ませるための支柱構造が開示されている。しかしながら、これらの支柱構造は、植物を栽培したり、栽培された植物を周りから鑑賞したりすることを目的として提案された支柱構造であるため、人が内部に入ることができず組立式ガゼボにはなり得ない。
【００１７】
本考案の組立式ガゼボにおいては、支柱につる植物の枝を絡ませることにより組立式ガゼボの強度を高くすることができるのであるが、支柱に梁をわたして組立式ガゼボの強度をさらに高くすることとしてもよい。
【００１８】
（２）本考案の組立式ガゼボにおいては、前記組立式ガゼボの裾部分を囲むように設置されるメッシュフェンスをさらに備えることが好ましい。
【００１９】
このように構成することにより、丈の低い植物を絡ませることにより、組立式ガゼボに見た目の安定感・安心感を加えることができる。また、基本種のつる植物との組み合わせの妙味で新たな美観を与えるものとなる。
【００２０】
メッシュフェンスの材料としては、金属材料（亜鉛メッキされた鉄、ステンレス鋼）、樹脂材料を好ましく使用することができるほか、竹を使用することもできる。
【００２１】
丈の低い植物としては、ジキタリス、デルフィニウムなどを例示することができる。
【００２２】
（３）本考案の組立式ガゼボにおいては、前記入り口部材を前記ジョイントに結合するための連結部材及び第２ジョイントとをさらに備えることが好ましい。
【００２３】
このように構成することにより、入り口部材が当該組立式ガゼボの骨格に結合されることとなるため、強度の高い組立式ガゼボを構築することが可能となる。
【００２４】
（４）本考案の組立式ガゼボにおいては、前記入り口部材の数は、１つであり、前記複数の支柱部材は、７本存在することが好ましい。
【００２５】
このように構成することにより、１つの入り口を有する組立式ガゼボを形成することが可能となる。この場合、後述する図２（ａ）に示すように、７本の支柱部材を互いに４５°の角度間隔で配置すれば、９０°の角度間隔の部分を１つ形成することができるため、この部分を利用して入り口部材を無理なく配置することができる。
【００２６】
（５）本考案の組立式ガゼボにおいては、前記入り口部材の数は、２つであり、前記複数の支柱部材は、６本存在することが好ましい。
【００２７】
このように構成することにより、２つの入り口を有する組立式ガゼボを形成することが可能となる。この場合、後述する図８（ｂ）又は図９（ｂ）に示すように、６本の支柱部材を互いに４５°の角度間隔でうまく配置すれば、９０°の角度間隔の部分を２つ形成することができるため、これらの部分を利用して２つの入り口部材を無理なく配置することができる。
【００２８】
この場合、前記２つの入り口部材は、相対向する位置に配置されていてもよいし、隣り合う位置に配置されていてもよい。
【００２９】
（６）本考案の組立式ガゼボにおいては、前記組立式ガゼボの高さは、２．３ｍ〜３．３ｍであり、前記組立式ガゼボの直径は、１．５ｍ〜３．５ｍであることが好ましい。
【００３０】
このように構成することにより、人間が組立式ガゼボの内部に入っても圧迫感を感じることがない。また、組立式ガゼボの高さが２．３ｍ以上あるため、つる植物が一旦組立式ガゼボの天井部分まで生育した後に、下垂する枝から花を咲かせることが可能となり、組立式ガゼボの内部からそのような花を上向き視線で鑑賞することが可能となる。
【００３１】
（７）本考案の組立式ガゼボにおいては、隣り合う各支柱部材の間隔は、０．７ｍ〜１．２ｍであることが好ましい。
【００３２】
このように構成することにより、つる植物の枝が各支柱間をわたって良好に絡むようになるため、組立式ガゼボの強度を高くすることができる。また、適度に隙間を残しつつ絡むようになるため美観上も好ましい。
【００３３】
（８）本考案の組立式ガゼボにおいては、前記組立式ガゼボの入り口の高さは、１．８ｍ〜２．４ｍであり、前記組立式ガゼボの入り口の幅は、０．８ｍ〜１．４ｍであることが好ましい。
【００３４】
このように構成することにより、人間が組立式ガゼボの内部に楽に入ることができる。
【００３５】
（９）本考案の組立式ガゼボにおいては、前記メッシュフェンスの高さは、０．５ｍ〜１．５ｍであることが好ましい。
【００３６】
このように構成することにより、丈の低い植物を絡ませることにより、組立式ガゼボに見た目の安定感・安心感が加わる。
【００３７】
（１０）本考案のガゼボ組立キットは、本考案の組立式ガゼボを構成するために用いるガゼボ組立キットであって、半アーチ形状を有し、前記組立式ガゼボの支柱となる複数の支柱部材と、前記組立式ガゼボの天井部分で前記複数の支柱部材を結合して前記組立式ガゼボの骨格を形成するためのジョイントと、アーチ形状を有し、前記組立式ガゼボの入り口となる少なくとも１つの入り口部材とを備えることを特徴とする。
【００３８】
このため、本考案のガゼボ組立キットによれば、本考案の組立式ガゼボを簡単に組み立てることが可能となる。また、本考案のガゼボ組立キットによれば、地面に細い穴を開けてその中に支柱部材を挿すだけで、特別に基礎を作らなくても、本考案の組立式ガゼボを組み立てることが可能となる。また、本考案のガゼボ組立キットによれば、本考案の組立式ガゼボを一人でも組み立てることが可能となる。また、この場合、既につる植物が生えている状態でも本考案の組立式ガゼボを組み立てることができる。その結果、庭作りを自分で楽しみたいという人にとって極めて有益なガゼボ組立キットとなる。
【００３９】
（１１）本考案のガゼボ組立キットにおいては、前記組立式ガゼボの裾部分を囲むように設置されるメッシュフェンスをさらに備えることが好ましい。
【００４０】
このように構成することにより、丈の低い植物を絡ませることにより、組立式ガゼボに見た目の安定感・安心感を加えることができる。また、基本種のつる植物との組み合わせの妙味で新たな美観を与えるものとなる。
【００４１】
（１２）本考案のガゼボ組立キットにおいては、前記入り口部材を前記ジョイントに結合するための連結部材及び第２ジョイントとをさらに備えることが好ましい。
【００４２】
このように構成することにより、入り口部材が当該組立式ガゼボの骨格に結合されることとなるため、強度の高い組立式ガゼボを構築することが可能となる。
【考案を実施するための最良の形態】
【００４３】
以下、本考案の組立式ガゼボ及びガゼボ組立キットについて、図に示す実施の形態に基づいて説明する。
【００４４】
［実施形態１］
まず、実施形態１に係る組立式ガゼボを用いて形成された組立式ガゼボ１００について、図１〜図６を用いて説明する。
【００４５】
図１は、実施形態１に係る組立式ガゼボ１００の斜視図である。
図２は、実施形態１に係る組立式ガゼボ１００を説明するために示す図である。図２（ａ）は組立式ガゼボ１００の上面図であり、図２（ｂ）は組立式ガゼボ１００の正面図である。
図３は、ジョイント１２０を説明するために示す図である。
図４は、実施形態１に係る組立式ガゼボ１００につるばらを絡ませた状態を示す図である。
なお、図１においては、内部にイスＣとテーブルＴを設置した状態の組立式ガゼボ１００を示している。
【００４６】
実施形態１に係る組立式ガゼボ１００は、図１〜図４に示すように、人間が入ることのできるドーム状の内部空間を有し、支柱につる植物を絡ませて用いる組立式ガゼボである。組立式ガゼボ１００は、半アーチ形状を有し、組立式ガゼボ１００の支柱となる複数（７本）の支柱部材１１０と、組立式ガゼボ１００の天井部分で複数の支柱部材１１０を結合して組立式ガゼボ１００の骨格を形成するためのジョイント１２０と、アーチ形状を有し、組立式ガゼボ１００の入り口となる１つの入り口部材１３０と、組立式ガゼボ１００の裾部分を囲むように設置される３つのメッシュフェンス１４０とを備える。
【００４７】
ジョイント１２０は、図３に示すように、円形本体部の外周部分に円周方向に沿って８つの挿し込み穴１２２が設けられた構造を有する。このため、７本の支柱部材１１０をこれら８つの挿し込み穴１２２のうち７つの挿し込み穴に挿し込むことにより、７本の支柱部材１００を結合することができる。
【００４８】
支柱部材１１０及び入り口部材１３０は、例えば、外径１９ｍｍの鉄パイプからなる。また、メッシュフェンス１４０は、例えば、外径５ｍｍの鉄棒からなる。支柱部材１１０、入り口部材１３０及びメッシュフェンス１４０は、防錆処理（例えば、亜鉛メッキ。）が施されていてもよいし、色付け処理が施されていてもよい。
【００４９】
組立式ガゼボ１００の高さは、図２に示すように、例えば、２．７ｍであり、組立式ガゼボ１００の直径は、例えば、２．０ｍである。また、隣り合う各支柱部材１１０の角度間隔は、例えば、４５°であり、隣り合う各支柱部材１１０の間隔は、例えば、０．９ｍである。また、組立式ガゼボ１００の入り口の高さは、例えば、２．１ｍであり、組立式ガゼボ１００の入り口の幅は、例えば、１．２ｍである。また、メッシュフェンス１３０の高さは、例えば、１．０ｍである。
【００５０】
図５は、実施形態１に係るガゼボ組立キットの構成を示す図である。図５（ａ）は支柱部材１１０の正面図であり、図５（ｂ）は入り口部材１３０の正面図であり、図５（ｃ）はメッシュフェンス１４０の正面図であり、図５（ｄ）はジョイント１２０の平面図であり、図５（ｅ）は穴開け治具１５０の正面図である。なお、図５（ｄ）は、図５（ａ）、図５（ｂ）、図５（ｃ）及び図５（ｅ）とは拡大率（又は縮小率）を変えて描いている。
【００５１】
支柱部材１１０は、上記したように、半アーチ形状を有し、組立式ガゼボ１００の支柱となる部材である。支柱部材１１０の寸法は、図５（ａ）に示すように、鉛直方向に沿った長さが例えば３．２ｍであり、直線部分の長さが例えば２．２ｍであり、アーク部分の長さが例えば１．０ｍであり、水平方向に沿った長さが例えば１．０ｍである。また、例えば下側の０．５ｍは地面に挿す部分の長さである。
【００５２】
また、入り口部材１３０は、アーチ形状を有し、組立式ガゼボ１００の入り口となる部材である。入り入り口部材１３０の寸法は、図５（ｂ）に示すように、鉛直方向（紙面の上下方向）に沿った長さが例えば２．４ｍであり、直線部分の長さが例えば１．８ｍであり、アーク部分の長さが例えば０．６ｍである。水平方向（紙面の左右方向）に沿った長さが例えば１．２ｍである。また例えば下側の０．３ｍは地面に挿し込む部分の長さである。
【００５３】
また、メッシュフェンス１４０は、組立式ガゼボ１００の裾部分を囲むように設置される部材（３枚）である。メッシュフェンス１４０の寸法は、図５（ｃ）に示すように、鉛直方向に沿った長さが例えば１．０ｍであり、水平方向に沿った長さが例えば１．５ｍである。なお、メッシュフェンスにおける水平方向に沿った長さをもっと長く（例えば２．０ｍ）してもよい。この場合は、３枚のメッシュフェンスを互いに重なり合うようにして配置するとよい。
【００５４】
また、ジョイント１２０は、組立式ガゼボ１００の天井部分で複数の支柱部材１１０を結合して組立式ガゼボ１００の骨格を形成するための部材である。ジョイント１２０は、図５（ｄ）に示すように、円形本体部の外周部分に円周方向に沿って８つの挿し込み穴１２２が設けられた構造を有する。挿し込み穴１２２の内径は、例えば１９ｍｍである。
【００５５】
また、穴開け治具１５０は、地面に下穴を開けるための治具で、図５（ｅ）に示すように、軸部（外径１９ｍｍ）と、軸部を手で回すための手回し部とからなる。
【００５６】
図６は、実施形態１に係る組立式ガゼボ１００の組み立て方法を説明するために示す図である。図６（ａ）〜図６（ｃ）は各工程図である。
【００５７】
本考案の組立式ガゼボ１００は、以下のようにして組み立てることができる。
【００５８】
（１）まず、組立式ガゼボ１００を設置する場所及び入り口の場所を決める。
（２）次に、地面に直径２．０ｍの円を描き、当該円の円周を八等分し、そのうち支柱部材１１０を地面に挿し込む位置Ｐ１（７箇所）に印を付けるとともに、入り口部材１３０を挿し込む位置Ｐ２（２箇所）に印を付ける（図６（ａ）参照。）。
【００５９】
（３）次に、穴開け治具１５０を用いて、位置Ｐ１（７箇所）に０．５ｍの深さの支柱部材用下穴を掘り、位置Ｐ２（２箇所）に０．３ｍの深さの入り口部材用下穴を開ける。
（４）次に、７箇所の支柱部材用下穴に７本の支柱部材１１０を下端側から順次挿し込む。
（５）次に、７本の支柱部材１１０の上端をジョイント１２０の挿し込み穴１２２に順次挿し込み、７本の支柱部材１１０を結合する（図６（ｂ）参照。）。
【００６０】
（６）次に、入り口部材１３０及びメッシュフェンス１４０を所定位置に設置する（図６（ｃ）参照。）。このとき、入り口部材１３０を下端側から入り口部材用下穴に挿し込み、メッシュフェンス１４０を支柱部材１１０にワイヤなどで固定する。
【００６１】
以上の工程を経て、実施形態１に係る組立式ガゼボ１００を組み立てることができる。
【００６２】
その後、入り口の後方（真後ろ）側に基本種となる枝が太く長いつるばら（例えば、つるサマースノー。）を植え、その両サイドに、基本種ほどではないが枝が太く長いつるばら（例えば、つるジャック・カルティエ。）を植え、さらに入り口付近に、ステムが短く、花付きがよく、香り立つような香りを有するばら（例えば、ブラッシュ・ダマスク。）を植え、つるばらの生育に応じて支柱部材１１０、入り口部材１３０及びメッシュフェンス１４０につるばらを絡ませる。そして、つるばらが生育すると、一旦つるばらの枝を持ち上げて、花の咲く枝を下垂させるようにするとよい。適当な期間が経過すると、図４に示すように、支柱につるばらを絡ませた状態の組立式ガゼボ１００が完成する。
【００６３】
このようにして組み立てられた実施形態１に係る組立式ガゼボ１００によれば、支柱につるばらを絡ませることにより、組立式ガゼボ１００の外側から見ても組立式ガゼボ１００の内側から見ても従来の組立式ガゼボとは全く異なる美観を与えるものとなる。
【００６４】
また、実施形態１に係る組立式ガゼボ１００によれば、支柱につる植物を絡ませた状態の組立式ガゼボ１００の内部にテーブルＴとイスＣとを持ち込めば、つる植物の隙間から漏れ出るやわらかな光の下でくつろぐこと（例えば、庭作りの合間に休憩したり、ティータイムを楽しんだりすること。）ができるため、使用者に新たな価値を与えるものとなる。また、組立式ガゼボ１００の内側から、支柱に絡ませたつる植物が成長する様子を楽しめるようになり、このことによっても使用者に新たな価値を与えるものとなる。
【００６５】
その結果、実施形態１に係る組立式ガゼボ１００は、従来の組立式ガゼボが有していなかった全く新たな美観・新たな価値を有するものとなる。
【００６６】
また、実施形態１に係る組立式ガゼボ１００によれば、組立式ガゼボ１００の裾部分を囲むように設置されるメッシュフェンス１４０をさらに備えるため、これに丈の低い植物を絡ませることにより、組立式ガゼボ１００に見た目の安定感・安心感を加えることができる。また、基本種のつる植物との組み合わせの妙味で新たな美観を与えるものとなる。
【００６７】
また、実施形態１に係る組立式ガゼボ１００によれば、互いに４５°の角度間隔で配置された７本の支柱１１０を備えるため、９０°の角度間隔の部分を１つ形成することができ、この部分を利用して入り口部材１３０を無理なく配置することができる。
【００６８】
また、実施形態１に係る組立式ガゼボ１００によれば、組立式ガゼボの高さが２．７ｍであり、組立式ガゼボ１００の直径が２．０ｍであるため、十分に大きな組立式ガゼボとなり、人が内側に入っても圧迫感を感じることがない。また、組立式ガゼボの高さが２．７ｍであるため、つるばらが一旦組立式ガゼボ１００の天井部分まで生育した後に、下垂する枝から花を咲かせることが可能となり、組立式ガゼボ１００の内部からそのような花を上向き視線で鑑賞することが可能となる。
【００６９】
また、実施形態１に係る組立式ガゼボ１００によれば、隣り合う各支柱部材１１０の間隔が０．９ｍであるため、つるばらの枝が各支柱部材１１０間をわたって絡むようになるため、組立式ガゼボ１００の強度を高くすることができる。また、つるばらが適度に隙間を残しつつ絡むようになるため美観上も好ましい。
【００７０】
また、実施形態１に係る組立式ガゼボ１００によれば、組立式ガゼボ１００の入り口の高さが２．１ｍであり、組立式ガゼボ１００の入り口の幅が１．２ｍであるため、人間が組立式ガゼボの内部に楽に入ることができるようになる。
【００７１】
また、実施形態１に係る組立式ガゼボ１００においては、メッシュフェンス１４０の高さが１．０ｍであるため、丈の低い植物を絡ませることにより、組立式ガゼボ１００に見た目の安定感・安心感が加わる。
【００７２】
なお、実施形態１に係る組立式ガゼボ１００は、以下の（１）〜（５）に示す部品からなるガゼボ組立キットを用いて簡単に組み立てることができる。
（１）半アーチ形状を有し、組立式ガゼボ１００の支柱となる７本の支柱部材１１０
（２）７本の支柱部材１１０を結合して組立式ガゼボ１００の骨格を形成するためのジョイント１２０
（３）組立式ガゼボ１００の入り口となる1つの入り口部材１３０
（４）組立式ガゼボ１００の裾部分を囲むように設置される３つのメッシュフェンス１４０
（５）地面に下穴を開けるための穴開け治具１５０
【００７３】
実施形態１に係るガゼボ組立キットによれば、実施形態１に係る組立式ガゼボ１００を簡単に組み立てることが可能となる。また、実施形態１に係るガゼボ組立キットによれば、地面に細い穴を開けてその中に支柱部材１１０を挿すだけで、特別に基礎を作らなくても、実施形態１に係る組立式ガゼボ１００を組み立てることが可能となる。また、実施形態１に係るガゼボ組立キットによれば、実施形態１に係る組立式ガゼボ１００を一人でも組み立てることが可能となる。また、この場合、既につる植物が生えている状態でも実施形態１に係る組立式ガゼボ１１０を組み立てることができる。その結果、庭作りを自分で楽しみたいという人にとって極めて有益なガゼボ組立キットとなる。
【００７４】
［実施形態２］
図７は、実施形態２に係る組立式ガゼボ１０２を説明するために示す図である。図７（ａ）は組立式ガゼボ１０２の斜視図であり、図７（ｂ）及び図７（ｃ）は第２ジョイント１６０の部分の拡大図である。なお、図７（ｂ）は第２ジョイント１６０に支柱部材１１０及び連結部材１１２が結合された様子を示し、図７（ｃ）は第２ジョイント１６０に支柱部材１１０のみが結合された様子を示す。また、図７において、図１と同一の部材については同一の符号を付し、詳細な説明は省略する。
【００７５】
実施形態２に係る組立式ガゼボ１０２は、基本的には実施形態１に係る組立式ガゼボ１００とよく似た構成を有するが、入り口部材１３０をジョイント１２０に結合するための連結部材１１２及び第２ジョイント１６０とをさらに備える点で実施形態１に係る組立式ガゼボ１００とは異なる。すなわち、実施形態２に係る組立式ガゼボ１０２においては、図７に示すように、入り口部材１３０は、第２ジョイント１６０及び連結部材１１２を介してジョイント１２０に結合されている。第２ジョイント１６０は、巻付部材１６２及びパイプ接続部材１６４からなり、パイプ接続部材１６４に連結部材１１２の一方端が挿し込まれている。連結部材１１２の他方端はジョイント１２０の残りの挿し込み穴１２２に挿し込まれている。
【００７６】
このため、実施形態２に係る組立式ガゼボ１０２によれば、入り口部材１３０が当該組立式ガゼボ１０２の骨格に結合されることとなるため、強度の高い組立式ガゼボ１０２を構築することが可能となる。
【００７７】
［実施形態３及び４］
図８は、実施形態３に係る組立式ガゼボ１０４を説明するために示す図である。図８（ａ）は組立式ガゼボ１０４の斜視図であり、図８（ｂ）は組立式ガゼボ１０４の上面図である。
図９は、実施形態４に係る組立式ガゼボ１０６を説明するために示す図である。図９（ａ）は組立式ガゼボ１０６の斜視図であり、図９（ｂ）は組立式ガゼボ１０６の上面図である。
【００７８】
実施形態３に係る組立式ガゼボ１０４及び実施形態４に係る組立式ガゼボ１０６は、基本的には実施形態１に係る組立式ガゼボ１００とよく似た構成を有するが、入り口部材の数及び支柱部材の数が実施形態１に係る組立式ガゼボ１００の場合とは異なる。すなわち、実施形態３に係る組立式ガゼボ１０４及び実施形態４に係る組立式ガゼボ１０６においては、図８及び図９に示すように、入り口部材の数は２つであり、支柱部材は、６本存在する。
【００７９】
このため、実施形態３に係る組立式ガゼボ１０４及び実施形態４に係る組立式ガゼボ１０６によれば、２つの入り口を有する組立式ガゼボ１０４，１０６を形成することが可能となる。この場合、６本の支柱部材１００を互いに４５°の角度間隔でうまく配置すれば、９０°の角度間隔の部分を２つ形成することができるため、これらの部分を利用して２つの入り口部材１３０を無理なく配置することができる。
【００８０】
なお、実施形態３に係る組立式ガゼボ１０４においては、各入り口部材１３０は、相対向する位置に配置されており、実施形態４に係る組立式ガゼボ１０６においては、各入り口部材１３０は、隣り合う位置に配置されている。
【００８１】
以上、本考案の組立式ガゼボ及びガゼボ組立キットを上記の各実施形態に基づいて説明したが、本考案は、これに限定されるものではなく、その要旨を逸脱しない範囲において実施することが可能であり、例えば、次のような変形も可能である。
【００８２】
（１）上記各実施形態においては、メッシュフェンス１４０を備える組立式ガゼボを例示して説明したが、本考案はこれに限定されるものではない。例えば、メッシュフェンスを備えない組立式ガゼボであってもよい。
【００８３】
（２）上記各実施形態においては、各支柱部材１１０は互いにジョイント１２０のみによって連結されているが、本考案はこれに限定されるものではない。例えば、各支柱部材１１０は互いに梁によってさらに連結されていてもよい。
【００８４】
（３）上記各実施形態ににおいては、ジョイントとして、円形本体部の外周部分に円周方向に沿って８つの挿し込み穴１２２が開けられた構造を有するジョイントを用いたが、本考案はこれに限定されるものではない。図１０は、変形例に係るジョイント１７０を説明するために示す図である。図１０（ａ）はジョイント１７０の分解斜視図であり、図１０（ｂ）はジョイント１７０の使用状態における部分拡大図である。ジョイント１７０は、図１０に示すように、円周方向に沿って設置された４つの凹部１７４（組み立て後に４つの挿し込み穴となる）及びボルト穴１７６を有する２枚の円形固定板１７２と、それぞれがボルト穴１８０を有する４つのパイプ接続部材１７８と、４組のボルト１８２及びナット（図示せず。）とからなる。このように構成された変形例に係るジョイント１７０を用いて例えば実施形態２に係る組立式ガゼボ１０２（但し、ジョイント１２０の代わりにジョイント１７０を用いる。）形成する場合には、４つの挿し込み穴に４本の支柱部材１１０を挿し込み、４つのパイプ接続部材１７８のうち３つのパイプ接続部材１７８に３本の支柱部材１１０を挿し込み、残り１つのパイプ接続部材１７８に連結部材１１２を挿し込むこととすればよい。
【図面の簡単な説明】
【００８５】
【図１】実施形態１に係る組立式ガゼボ１００の斜視図である。
【図２】実施形態１に係る組立式ガゼボ１００を説明するために示す図である。
【図３】ジョイント１２０を説明するために示す図である。
【図４】実施形態１に係る組立式ガゼボ１００につるばらを絡ませた様子を示す図である。
【図５】実施形態１に係るガゼボ組立キットの構成を示す図である。
【図６】実施形態１に係る組立式ガゼボ１００の組み立て方法を説明するために示す図である。
【図７】実施形態２に係る組立式ガゼボ１０２を説明するために示す図である。
【図８】実施形態３に係る組立式ガゼボ１０４を説明するために示す図である。
【図９】実施形態４に係る組立式ガゼボ１０６を説明するために示す図である。
【図１０】変形例に係るジョイント１７０を説明するために示す図である。
【図１１】従来の組立式ガゼボを説明するために示す図である。
【符号の説明】
【００８６】
１００，１０２，１０４，１０６，９００…組立式ガゼボ、１１０…支柱部材、１１２…結合支柱、１２０，１７０…ジョイント、１２２…挿し込み穴、１３０…入り口部材、１４０…メッシュフェンス、１５０…穴開け治具、１６０…第２ジョイント、１６２…巻付部材、１６４，１７８…パイプ接続部材、１７２…円形固定板、１７４…凹部、１７６，１８０…ボルト穴、１８２…ボルト、９０２，９０３…土台、９１１〜９１４…支柱、９２１〜９２３…筋かい、９１０…屋根、９０４〜９０６…基礎、９２０…床枠、９３１〜９３４…座板、９４１〜９４４…脚、９５０…テーブル支柱、９６０…テーブル天板、Ｃ…イス、Ｇ地盤面、Ｔ…テーブル
【図１】
0003139229.tif 000003
【図２】
0003139229.tif 000004
【図３】
0003139229.tif 000005
【図５】
0003139229.tif 000006
【図６】
0003139229.tif 000007
【図７】
0003139229.tif 000008
【図８】
0003139229.tif 000009
【図９】
0003139229.tif 000010
【図１０】
0003139229.tif 000011
【図１１】
0003139229.tif 000012
【図４】
0003139229.tif 000013